(57)【特許請求の範囲】
【請求項１】
表示部と、
被測定者の胴部に対応する体表面に接触させるための複数の電極と、
前記複数の電極を用いて被測定者の生体インピーダンスを測定するインピーダンス測定手段と、
被測定者の胴部形状を計測するための計測手段と、
前記計測手段によって計測される前記胴部形状の時間的な変化を検出し、検出した変化に基づき、被測定者の呼吸を推定する推定手段と、
前記推定手段により推定される被測定者の呼吸が、息を吐いた状態において呼吸が停止している停止状態であるか否かを判定する判定手段と、
前記推定手段により推定される前記呼吸の状態を、前記判定手段による判定結果と関連付けた情報を前記表示部に表示する状態出力手段と、
前記インピーダンス測定手段によって測定される前記生体インピーダンスと前記計測手段によって計測される胴部形状に従う胴部サイズとを用いて、胴部脂肪量を算出する脂肪量算出手段と、
前記インピーダンス測定手段および前記脂肪量算出手段を制御する制御手段と、を備え、
前記計測手段は、
被測定者の胴部幅を計測するための幅計測手段を、含み、
前記幅計測手段により計測される胴部幅に基づき、前記胴部形状を検出し、
前記判定手段は、
前記幅計測手段によって計測される胴部幅の変化量と、予め検出されている前記停止状態のときの胴部幅の変化量との比較結果に基づき、被測定者が呼吸をしているか前記停止状態であるかを判定する呼吸判定手段を、含み、
前記制御手段は、
前記呼吸判定手段により被測定者の呼吸が前記停止状態であると判定されたときに、前記インピーダンス測定手段により前記生体インピーダンスの測定を開始させる、体脂肪測定装置。
【請求項２】
前記制御手段は、
前記インピーダンス測定手段に生体インピーダンスの測定の最中に、前記呼吸判定手段によって被測定者は呼吸をしていると判定されたとき、前記インピーダンス測定手段に生体インピーダンスの測定を中断させて、再度、生体インピーダンスの測定を開始させる、請求項１に記載の体脂肪測定装置。
【請求項３】
前記幅計測手段は、
胴部の体表面までの距離を測り、測った距離を指す信号を出力する非接触式の測距センサを含み、
前記推定手段は、
前記測距センサの出力する信号を時系列に入力し、入力した時系列の信号が表す信号波形の振幅を、胴部幅の変化量として検出する、請求項２に記載の体脂肪測定装置。
【請求項４】
前記制御手段は、
前記呼吸判定手段により被測定者の呼吸が前記停止状態であると判定されたときに、前記脂肪量算出手段に胴部脂肪量の算出を開始させる、請求項３に記載の体脂肪測定装置。
【請求項５】
前記呼吸判定手段は、
測定中に前記測距センサから入力する時系列の信号が表す信号波形の振幅と、前記測距センサから予め入力する時系列の信号が表す信号波形の振幅に基づく振幅閾値とを比較し、比較結果に基づき、被測定者の呼吸が前記停止状態であるか否かを判定する、請求項４に記載の体脂肪測定装置。
【請求項６】
前記測距センサから予め入力する時系列の信号を記憶する記憶手段と、
前記記憶手段の時系列の信号が表す信号波形の振幅を用いて、振幅閾値を算出する閾値決定手段と、をさらに備え、
前記呼吸判定手段は、
測定中に前記測距センサから入力する時系列の信号が表す信号波形の振幅と、前記記憶手段の振幅閾値とを比較し、比較結果に基づき、被測定者の呼吸が前記停止状態であるか否かを判定する、請求項５に記載の体脂肪測定装置。
【発明の詳細な説明】
【技術分野】
【０００１】
この発明は生体インピーダンスを測定することによって被測定者の体脂肪量を算出することが可能な体脂肪測定装置に関し、より特定的には、家庭などにおいても容易に体脂肪量を測定することが可能な体脂肪測定装置に関する。
【背景技術】
【０００２】
従来から、人の体脂肪を家庭でも簡便に測定する方法として、体表面に接触させた電極を用いて生体インピーダンスを測定し、測定した生体インピーダンスと所定演算式とを用いて体脂肪を算出する方法が知られている。
【０００３】
しかしながら、被測定者の呼吸で腹部の膨張収縮が起こって内臓の位置が変化し、生体インピーダンス値が変化する。このような呼吸の影響を排除するために、通常は、被測定者は呼吸を停止する。しかしながら、呼吸停止は、被測定者の肉体的負担となる。
【０００４】
そこで、被測定者が呼吸停止することなく、または、短い呼吸停止期間で測定を可能にする方法が、たとえば特許文献１に示される。
【０００５】
特許文献１の方法は、複数回インピーダンスを測定し、測定されたインピーダンス値がエラーと判定されない状態で呼吸に同期して毎回測定されるインピーダンス値が収束をしたとき、収束値を体脂肪量算出のためのインピーダンスの確定値とする。また、特許文献１の他の方法は呼吸停止を必要とするが、当該収束を検知したときに呼吸停止を促すような報知をすることで、呼吸停止期間を短くしている。
【先行技術文献】
【特許文献】
【０００６】
【特許文献１】特開２００７−２６８１４２号公報
【発明の概要】
【発明が解決しようとする課題】
【０００７】
特許文献１によるインピーダンス値の収束検出は、被測定者が安定して呼吸を行なえばインピーダンス値は収束することに依拠している。しかしながら、特許文献１では、安定に呼吸をしているか否かを被測定者自身が確認するための機能は提供されていないので、被測定者にとっては、呼吸状態を、インピーダンス値を収束させるような安定呼吸の状態に移行させることが難しく利便性に優れない。
【０００８】
それゆえに、この発明の目的は、脂肪量の測定を精度よく簡便に行うことを可能にする体脂肪測定装置を提供することである。
【課題を解決するための手段】
【０００９】
本発明は、被測定者の胴部に対応する体表面に接触させるための複数の電極と、複数の電極を用いて被測定者の生体インピーダンスを測定するインピーダンス測定手段と、被測定者の胴部形状を計測するための計測手段と、計測手段によって計測される胴部形状の時間的な変化を検出し、検出した変化に基づき、被測定者の呼吸を推定する推定手段と、推定手段により推定される被測定者の呼吸が、測定に適した状態であるか否かを判定する判定手段と、推定手段により推定される呼吸の状態を、判定手段による判定結果と関連付けて外部に出力する状態出力手段と、インピーダンス測定手段によって測定される生体インピーダンスと計測手段によって計測される胴部形状に従う胴部サイズとを用いて、胴部脂肪量を算出する脂肪量算出手段と、を備える。
【発明の効果】
【００１０】
本発明によれば、脂肪量の測定時には、被測定者の呼吸状態と、当該呼吸が測定に適した状態であるかの判定結果とが関連付けて出力されるので、被測定者は呼吸を測定に適した状態に移行させることが容易となり、測定を精度よく簡便に行うことができる。
【図面の簡単な説明】
【００１１】
【図１】本発明の実施の形態に係る体脂肪測定装置の測定原理を説明するための図である。
【図２】本実施の形態に係る体脂肪測定装置の機能構成図である。
【図３】本発明の実施の形態に係る体脂肪測定装置の非収納状態を示す斜視図である。
【図４】本発明の実施の形態に係る体脂肪測定装置の収納状態を示す斜視図である。
【図５】本発明の実施の形態に係る体脂肪測定装置の装着ユニットの上面図である。
【図６】本発明の実施の形態に係る体脂肪測定装置を用いて測定を行なう場合に被験者がとるべき手順を説明するための図である。
【図７】本発明の実施の形態に係る体脂肪測定装置を用いて測定を行なう場合に被測定者がとるべき手順を説明するための図である。
【図８】本発明の実施の形態に係る体脂肪測定装置を用いて測定を行なう場合に被測定者がとるべき手順を説明するための図である。
【図９】本発明の実施の形態に係る体脂肪測定装置の装着ユニットの装着状態を示す図である。
【図１０】本発明の実施の形態に係る体脂肪測定装置の装着ユニットを装着時の距離測定を説明する図である。
【図１１】本発明の実施の形態に係る体脂肪測定装置の装着ユニットの姿勢の表示例を示す図である。
【図１２】本発明の実施の形態に係る体脂肪測定装置の処理フローチャートである。
【図１３】本発明の実施の形態に係る呼吸状態判定の処理フローチャートである。
【図１４】本発明の実施の形態に係る生体インピーダンス測定の処理フローチャートである。
【図１５】本発明の実施の形態に係る体脂肪測定装置のメモリ部の内容の一例を示す図である。
【図１６】本発明の実施の形態に係るガイダンス情報の表示例を示す図である。
【図１７】本発明の実施の形態に係る閾値決定処理を説明するための図である。
【図１８】本発明の実施の形態に係る閾値決定処理を説明するための図である。
【図１９】本発明の実施の形態に係る閾値決定処理を説明するための図である。
【図２０】本発明の実施の形態に係る閾値決定処理を説明するための図である。
【図２１】本発明の実施の形態に係る閾値決定処理を説明するための図である。
【発明を実施するための形態】
【００１２】
以下、本発明の実施の形態について、図を参照して詳細に説明する。なお、以下に示す実施の形態においては同一または対応する部分に図中同一の符号を付し、その説明は繰返さない。
【００１３】
まず、身体の部位を表わす用語を定義する。本実施の形態では「胴部」は、身体の頭部、頸部および四肢を除く部位であり、いわゆる体幹に相当する。「背部」は、上記胴部のうちの背中側に位置する部分を意味し、上記胴部のうちの腹部側の部分および胸部側の部分を除く部分に相当する。「背部表面」は、上記背部の体表面全体を意味しており、被測定者を背中側から観察した場合に視認可能な部分の胴部表面の全体を言う。また、「体軸」は、胴部の延在方向に沿って位置する軸、すなわち被測定者の胴部の横断面の略中央を通り、且つ当該横断面に対して略垂直な方向に延びる軸を言う。
【００１４】
また、胴部の「縦幅」とは、臍位置に対応する部分の胴部の横断面において、体軸に直交し、且つ臍を通過する径の長さを指し、胴部の「横幅」とは、臍位置に対応する部分の胴部の横断面において、体軸と直交し、且つ胴部の「縦幅」の径と直交する径の長さを指す。
【００１５】
また、本実施の形態では、「呼吸」とは主に横隔膜の運動を伴う腹式呼吸を指す。「呼吸安定状態」とは、息の吸いすぎ・吐きすぎでない呼吸を一定周期で繰返す状態を指す。
【００１６】
（体脂肪測定の原理）
図１（Ａ）および図１（Ｂ）は、本発明の実施の形態における体脂肪測定装置の測定原理を説明するための図である。ここで、図１（Ａ）は、胴部全体の生体インピーダンスを得る場合の電極配置を示した図であり、図１（Ｂ）は、胴部のうちの背部側の表層部分の生体インピーダンスを得る場合の電極配置を示した図である。まず、これら図１（Ａ）および図１（Ｂ）を参照して、本実施の形態における体脂肪測定装置の測定原理について説明する。なお、図１（Ａ）および図１（Ｂ）においては、被測定者をいずれも背中側から見た様子を示している。
【００１７】
図１（Ａ）に示すように、胴部全体の生体インピーダンスを得るためには、被測定者の左手の表面および右手の表面にそれぞれ電極ＥＩａＡ１，ＥＩａＡ２が取付けられる。また、被測定者の左足の表面および右足の表面にもそれぞれ電極ＥＩｂＡ１，ＥＩｂＡ２が取付けられる。そして、被測定者の背部表面には、体軸方向に沿って並ぶように配置された一対の電極が、胴部の横幅方向に沿って４組取付けられる。すなわち、被測定者の背部表面には、図示するように、電極ＥＶａＡ１，ＥＶｂＡ１，ＥＶａＡ２，ＥＶｂＡ２，ＥＶａＡ３，ＥＶｂＡ３，ＥＶａＡ４，ＥＶｂＡ４の合計８個の電極が取付けられる。
【００１８】
この状態において、両手および両足のそれぞれに取付けられた電極ＥＩａＡ１，ＥＩａＡ２，ＥＩｂＡ１，ＥＩｂＡ２を用いて、胴部を通る定電流ＩＡが被測定者に印加される。そして、この定電流ＩＡが印加された状態において、背部表面に取付けられた一対の電極ＥＶａＡ１，ＥＶｂＡ１を用いて電位差ＶＡ１が検出され、背部表面に取付けられた一対の電極ＥＶａＡ２，ＥＶｂＡ２を用いて電位差ＶＡ２が検出され、背部表面に取付けられた一対の電極ＥＶａＡ３，ＥＶｂＡ３を用いて電位差ＶＡ３が検出され、背部表面に取付けられた一対の電極ＥＶａＡ４，ＥＶｂＡ４を用いて電位差ＶＡ４が検出される。
【００１９】
このようにして検出された電位差ＶＡ１，ＶＡ２，ＶＡ３，ＶＡ４から、胴部全体の生体インピーダンスＺｔが算出される。なお、その際、検出された上記４つの電位差ＶＡ１，ＶＡ２，ＶＡ３，ＶＡ４の平均値を算出することで生体インピーダンスＺｔを求めることとすれば、胴部の内部における脂肪分布のばらつきの影響が低減できることになる。
【００２０】
ここで、上記状態においては、胴部から離れた位置にある両手および両足間において定電流ＩＡが流されているため、印加された定電流ＩＡは、その殆どが電気抵抗の低い部分、すなわち脂肪以外の部分を通ることになる。そのため、このような定電流ＩＡを用いて測
定された電位差ＶＡ１，ＶＡ２，ＶＡ３，ＶＡ４から算出される上記生体インピーダンスＺｔは、胴部内部における除脂肪（内臓、筋肉および骨格）の量の影響を受けるところが大きくなる。したがって、上記生体インピーダンスＺｔに基づいて臍位置に対応する部分の胴部断面において除脂肪が占める面積（以下、除脂肪断面積と称する）Ｓａが推定できることになる。
【００２１】
図１（Ｂ）に示すように、胴部のうちの背部側の表層部分の生体インピーダンスを得るためには、被測定者の背部表面に、体軸方向に沿って並ぶように配置された一対の電極が、胴部の横幅方向に沿って４組取付けられる。すなわち、被測定者の背部表面には、図示するように、電極ＥＩａＢ１，ＥＩｂＢ１，ＥＶａＢ１，ＥＶｂＢ１，ＥＶａＢ２，ＥＶｂＢ２，ＥＩａＢ２，ＥＩｂＢ２の合計８個の電極が取付けられる。
【００２２】
この状態において、一対の電極ＥＩａＢ１，ＥＩｂＢ１を用いて、背部を局所的に通る定電流ＩＢ１が被測定者に印加され、一対の電極ＥＩａＢ２，ＥＩｂＢ２を用いて、背部を局所的に通る定電流ＩＢ２が被測定者に印加される。そして、この定電流ＩＢ１，ＩＢ２が印加された状態において、背部表面に取付けられた一対の電極ＥＶａＢ１，ＥＶｂＢ１を用いて電位差ＶＢ１が検出され、背部表面に取付けられた一対の電極ＥＶａＢ２，ＥＶｂＢ２を用いて電位差ＶＢ２が検出される。ここで、被測定者に印加される２つの定電流ＩＢ１，ＩＢ２の電流値は、同じ値とされる。
【００２３】
このようにして検出された電位差ＶＢ１，ＶＢ２から、胴部のうちの背部側の表層部分の生体インピーダンスＺｓが算出される。なお、その際、検出された上記２つの電位差ＶＢ１，ＶＢ２の平均値を算出することで生体インピーダンスＺｓを求めることとすれば、胴部の背部の表層部分における脂肪分布のばらつき等の影響が低減できることになる。なお、電流が印加されていた電極を電位差を検出するための電極とし、かつ電位差を検出していた電極を電流を印加するための電極とするように回路を切り替えることにより、４箇所で電位差を測定することも可能になる。このようにすることにより、皮下脂肪のばらつき等の影響をより一層低減させることができる。
【００２４】
ここで、上記状態においては、胴部の背部において局所的に定電流ＩＢ１，ＩＢ２が印加されているため、印加された定電流ＩＢ１，ＩＢ２は、いずれもその殆どが背部の表層部分を通ることになる。そのため、このような定電流ＩＢ１，ＩＢ２を用いて測定された電位差ＶＢ１，ＶＢ２から算出される上記生体インピーダンスＺｓは、皮下脂肪量の影響を受けるところが大きくなる。したがって、上記生体インピーダンスＺｓに基づいて胴部の臍位置を含む断面における皮下脂肪断面積（以下、皮下脂肪断面積と称する）Ｓｂが推定できることになる。
【００２５】
次に、このようにして得られた上記生体インピーダンスＺｔおよびＺｓを用いて内臓脂肪量を算出する演算処理の一例について説明する。
【００２６】
臍位置に対応する部分の胴部断面の全体の面積（以下、胴部断面積と称する）をＳｔとすれば、内臓脂肪断面積Ｓｘは、胴部断面積Ｓｔと、上述した除脂肪断面積Ｓａおよび皮下脂肪断面積Ｓｂとを用いて、以下の式（１）より算出することができる。
【００２７】
Ｓｘ＝Ｓｔ−Ｓａ−Ｓｂ      ・・・式（１）
ここで、胴部断面積Ｓｔは、胴部周囲長（いわゆるウエスト長）や、胴部の横幅および縦幅を用いて算出することが可能である。たとえば、胴部の横幅および縦幅から胴部断面積Ｓｔを算出する場合には、胴部の横幅を２ａ、胴部の縦幅を２ｂとすれば、胴部の断面形状はおおよそ楕円形であるため、胴部断面積Ｓｔは、以下の式（２）で近似できる。
【００２８】
Ｓｔ＝π×ａ×ｂ      ・・・式（２）
ただし、上記式（２）で近似される胴部断面積Ｓｔは、誤差が多く含まれている可能性が高いため、誤差を低減するための係数αをこれに乗ずることによって、より正確な胴部断面積Ｓｔを求めることが好ましい。この係数αとしては、たとえば多数のＸ線ＣＴ（Computed  Tomography）による画像サンプルに基づいて、当該画像サンプルから得られる胴部断面積Ｓｔ′と、上記ａおよびｂとの関係から、Ｓｔ′＝α×π×ａ×ｂを充足するαの最適値を求めることで得られる。
【００２９】
したがって、上記式（２）は、係数αを用いることで、以下の式（３）によってより誤差を低減した状態で近似できることになる。
【００３０】
Ｓｔ＝α×π×ａ×ｂ      ・・・式（３）
なお、上記補正のために乗ずる係数αに関しては、被測定者の性別、年齢、身長、体重等の情報（以下、これらを総称して被測定者情報と称する）に応じて適宜最適化することが好ましい。すなわち、当該被測定者情報に応じて上記係数αの値を変更することにより、より高精度に胴部断面積Ｓｔが近似できることになる。
【００３１】
また、上記のとおり、除脂肪断面積Ｓａは、胴部全体の生体インピーダンスＺｔに基づいて算出することができる。ただし、この胴部全体の生体インピーダンスＺｔのみでは、除脂肪断面積Ｓａを正確に算出することはできない。すなわち、除脂肪断面積Ｓａは、胴部の大きさに比例する傾向があり、除脂肪断面積Ｓａを算出するためには、生体インピーダンスＺｔから得られる値をさらに換算することが必要である。したがって、除脂肪断面積Ｓａは、たとえば以下の式（４）で表わされることになる。
【００３２】
Ｓａ＝β×ａ×（１／Ｚｔ）      ・・・式（４）
ここで、上記ａは、上述のとおり胴部の横幅の半分の値であり、胴部の大きさに関係する値である。この胴部の大きさに関係する値としては、上記ａに限られず、たとえば胴部の横幅および縦幅が反映されるようにａ×ｂを使用してもよいし、胴部断面積Ｓｔを使用してもよいし、胴部周囲長を使用してもよい。
【００３３】
一方、上記係数βは、胴部全体の生体インピーダンスＺｔを除脂肪断面積Ｓａに換算するための係数であり、上記係数αを求めた場合と同様に、たとえば多数のＸ線ＣＴによる画像サンプルに基づいて最適値を求めることができる。すなわち、多数のＸ線ＣＴによる画像サンプルから得られる除脂肪断面積Ｓａ′と、当該Ｘ線ＣＴの撮影対象となった被測定者の胴部全体の生体インピーダンスＺｔと、上記ａとの関係から、Ｓａ′＝β×ａ×（１／Ｚｔ）を充足する係数βの最適値を求めることで得られる。
【００３４】
なお、上述した係数βは、上記係数αの場合と同様に、被測定者情報に応じて適宜最適化されることが好ましい。すなわち、当該被測定者情報に応じて上記係数βの値を変更することにより、より高精度に除脂肪断面積Ｓａを近似できることになる。
【００３５】
さらに、上記のとおり、皮下脂肪断面積Ｓｂは、胴部のうちの背部側の表層部分の生体インピーダンスＺｓに基づいて算出することができる。ただし、この胴部のうちの背部側の表層部分の生体インピーダンスＺｓのみでは、皮下脂肪断面積Ｓｂを正確に算出することはできない。すなわち、皮下脂肪断面積Ｓｂは、胴部の大きさに比例する傾向があり、皮下脂肪断面積Ｓｂを算出するためには、生体インピーダンスＺｓから得られる値をさらに換算することが必要である。したがって、皮下脂肪断面積Ｓｂは、たとえば以下の式（５）で表わされることになる。
【００３６】
Ｓｂ＝γ×ａ×Ｚｓ      ・・・式（５）
ここで、上記ａは、上述のとおり胴部の横幅の半分の値であり、胴部の大きさに関係する値である。この胴部の大きさに関係する値としては、上記ａに限られず、たとえば胴部の横幅および縦幅が反映されるようにａ×ｂを使用してもよいし、胴部断面積Ｓｔを使用してもよいし、胴部周囲長を使用してもよい。
【００３７】
一方、上記係数γは、胴部のうちの背部側の表層部分の生体インピーダンスＺｓを皮下脂肪断面積Ｓｂに換算するための係数であり、上記係数αまたは係数βを求めた場合と同様に、たとえば多数のＸ線ＣＴによる画像サンプルに基づいて最適値を求めることができる。すなわち、多数のＸ線ＣＴによる画像サンプルから得られる皮下脂肪断面積Ｓｂ′と、当該Ｘ線ＣＴの撮影対象となった被測定者の胴部のうちの背部側の表層部分の生体インピーダンスＺｓと、上記ａとの関係から、Ｓｂ′＝γ×ａ×Ｚｓを充足する係数γの最適値を求めることで得られる。
【００３８】
なお、上述した係数γは、上記係数αおよび係数βの場合と同様に、被測定者情報に応じて適宜最適化されることが好ましい。すなわち、当該被測定者情報に応じて上記係数γの値を変更することにより、より高精度に皮下脂肪断面積Ｓｂを近似できることになる。
【００３９】
以上のように、本実施の形態における体脂肪測定装置においては、胴部断面積Ｓｔと、胴部全体の生体インピーダンスＺｔに基づいて算出される除脂肪断面積Ｓａと、胴部のうちの背部側の表層部分の生体インピーダンスＺｓに基づいて算出される皮下脂肪断面積Ｓｂとから、上記式（１）に基づいて内臓脂肪断面積Ｓｘが算出され、より詳細には、上記式（１）に上記式（３）ないし式（５）を代入した以下の式（６）に基づいて内臓脂肪断面積Ｓｘが算出されることになる。
【００４０】
Ｓｘ＝α×π×ａ×ｂ−β×ａ×（１／Ｚｔ）−γ×ａ×Ｚｓ      ・・・式（６）
なお、係数α、βおよびγは、後述の係数群２９３に含まれると想定する。
【００４１】
（機能構成）
図２を参照して、本実施の形態に係る体脂肪測定装置の機能構成を説明する。
【００４２】
図２に示すように、体脂肪測定装置１Ａは、制御部１００、計時部２０、定電流生成部２１、端子切替部２２、電位差検出部２３、胴部の幅を計測するための後述の光センサに関連するノイズ除去部２４、情報入力部２５、表示部２６、操作部２７、電源部２８、メモリ部２９、ユニット姿勢検出部３０、および被測定者の体表面に接触させるための複数の電極を備える。複数の電極は、電極ＨＲ，ＨＬ，ＢＵ１〜ＢＵ４，ＢＬ１〜ＢＬ４、ＦＲおよびＦＬとを含む。
【００４３】
制御部１００はＣＰＵ（Central  Processing  Unit）を含むマイクロプロセッサで構成される。制御部１００は、被測定者に測定のためのガイダンス情報などを提供するガイド部１０、呼吸推定部１１、呼吸状態判定部１２、算出制御部１３、再算出制御部１４および演算処理部１５を含む。制御部１００内の各部の機能は、プログラム、またはプログラムと回路の組合せにより実現される。プログラムは、予めメモリ部２９に格納されており、ＣＰＵがプログラムをメモリ部２９から読出し、実行することにより、その機能が実現される。ここでは、ガイド部１０はガイダンス情報を表示により出力するとしているが、音声で出力するとしてもよい。
【００４４】
呼吸推定部１１は、被測定者の胴部形状の時間的な変化を検出し、検出した変化に基づき、被測定者の呼吸状態を推定する。算出制御部１３と再算出制御部１４は、生体インピーダンスの算出または脂肪量の算出を制御する。
【００４５】
呼吸推定部１１は、呼吸状態を推定するために、ノイズ除去部２４から出力される光センサの出力する電圧信号の振幅を正規化するための正規化部１１Ａを含む。正規化部１１Ａの正規化処理は後述する。
【００４６】
呼吸状態判定部１２は、被測定者が呼吸停止したことを判定するための呼吸停止判定部１２Ａ、呼吸していることを判定するための呼吸判定部１２Ｂ、呼吸安定状態を判定するための呼吸安定判定部１２Ｃ、およびこれら各部の判定のために参照される各種の閾値を決定する閾値決定部１２Ｄを含む。
【００４７】
演算処理部１５は、生体インピーダンス測定部１６、体組成情報取得部１７、および胴部の横幅および縦幅の検出部１８Ａおよび１８Ｂを含む体形情報測定部１８を含む。体組成情報取得部１７は、内臓脂肪量算出部１７Ａおよび皮下脂肪量算出部１７Ｂを含む。
【００４８】
上述した複数の電極は、被測定者の上肢の表面に接触配置される上肢用電極としての手用電極ＨＲ，ＨＬと、被測定者の背部表面に接触配置される背部用電極ＢＵ１〜ＢＵ４，ＢＬ１〜ＢＬ４と、被測定者の下肢の表面に接触配置される下肢用電極としての足用電極ＦＲ，ＦＬとを含んでいる。このうち、手用電極ＨＲ，ＨＬは、被測定者の掌に接触配置され、足用電極ＦＲ，ＦＬは、被測定者の足の裏に接触配置される。また、背部用電極ＢＵ１〜ＢＵ４，ＢＬ１〜ＢＬ４は、図１（Ａ）および図１（Ｂ）に示したように、被測定者の背部表面に整列した状態で接触配置される。なお、これら手用電極ＨＲ，ＨＬ、背部用電極ＢＵ１〜ＢＵ４，ＢＬ１〜ＢＬ４、および足用電極ＦＲ，ＦＬは、いずれも上述した端子切替部２２に電気的に接続されている。
【００４９】
端子切替部２２は、たとえばリレー回路によって構成され、制御部１００から与えられる指令に基づき、上述した複数の電極のうちから選択された特定の電極と定電流生成部２１とを電気的に接続するとともに、上述した複数の電極のうちから選択された特定の電極と電位差検出部２３とを電気的に接続する。これにより、端子切替部２２によって定電流生成部２１に電気的に接続された電極が定電流印加電極として機能することになり、また端子切替部２２によって電位差検出部２３に電気的に接続された電極が電位差検出電極して機能することになる。すなわち、端子切替部２２が制御部１００から入力される指令に基づいて動作することにより、上述した複数の電極ＨＲ，ＨＬ，ＢＵ１〜ＢＵ４，ＢＬ１〜ＢＬ４，ＦＲ，ＦＬのそれぞれが、図１（Ａ）に示した各電極ＥＩａＡ１，ＥＩａＡ２，ＥＩｂＡ１，ＥＩｂＡ２，ＥＶａＡ１，ＥＶｂＡ１，ＥＶａＡ２，ＥＶｂＡ２，ＥＶａＡ３，ＥＶｂＡ３，ＥＶａＡ４，ＥＶｂＡ４、および図１（Ｂ）に示した電極ＥＩａＢ１，ＥＩｂＢ１，ＥＶａＢ１，ＥＶｂＢ１，ＥＶａＢ２，ＥＶｂＢ２，ＥＩａＢ２，ＥＩｂＢ２としてそれぞれ機能することになる。
【００５０】
定電流生成部２１は、制御部１００から与えられる指令に基づいて定電流を生成し、生成した定電流を端子切替部２２を介して上述の定電流印加電極に供給する。定電流生成部２１において生成される定電流としては、体組成情報を測定するために好適に使用される高周波電流（たとえば、５０ｋＨｚ，５００μＡ）が選択される。これにより、定電流印加電極を介して定電流が被測定者に印加されることになる。
【００５１】
電位差検出部２３は、端子切替部２２によって電位差検出部２３に電気的に接続された電極（すなわち電位差検出電極）間における電位差を検出し、検出した電位差を制御部１００に対して出力する。これにより、上述した定電流が被測定者に印加された状態における電位差検出電極間の電位差が検出されることになる。
【００５２】
胴部の横幅検出部１８Ａは、被測定者の胴部の横幅を非接触で測定するための検出部位であり、たとえば光センサ等の測距センサからの出力信号に基づき横幅を検出する。また、胴部の縦幅検出部１８Ｂは、被測定者の胴部の縦幅を非接触で測定するための検出部位であり、たとえば光センサ等の測距センサからの出力信号に基づき縦幅を検出する。このように、非接触形式の測距センサを用いることで、生体に負荷を与えることなく幅を測定することができる。
【００５３】
情報入力部２５は、演算処理部１５で行なわれる演算処理に利用される被測定者に関する情報を得るための部位であり、たとえば被測定者が押下可能なキー等によって構成される。ここで、被測定者情報には、上述したように被測定者の性別、年齢、身長、体重等の情報のうちの少なくとも１つが含まれる。情報入力部２５は、被測定者情報の入力を受け付け、受け付けた被測定者情報を制御部１００に対して出力する。なお、情報入力部２５は、本発明に照らした場合には必ずしも必須の構成ではなく、演算処理部１５で行なう演算処理において当該被測定者情報を利用することが必要であるか否かに応じてその有無が決定されるものである。
【００５４】
ユニット姿勢検出部３０は、後述する装着ユニット１００Ａ（図３ないし図１０参照）の姿勢を検出するための検出部位であり、たとえば加速度センサ等にて構成される。このユニット姿勢検出部３０は、検出値に応じた信号を制御部１００に出力する。
【００５５】
生体インピーダンス測定部１６は、電位差検出部２３から入力された信号に基づいて生体インピーダンスを算出し、これを体組成情報取得部１７に出力する。体形情報測定部１８は、横幅検出部１８Ａおよび縦幅検出部１８Ｂにより算出された被測定者の胴部の横幅および縦幅を、体組成情報取得部１７に出力する。体組成情報取得部１７は、内臓脂肪量算出部１７Ａと、皮下脂肪量算出部１７Ｂとを含む。体組成情報取得部１７は、生体インピーダンス測定部１６から入力された生体インピーダンスと、体形情報測定部１８から入力された胴部の横幅および縦幅と、場合によってはさらにこれに加えて情報入力部２５から入力された被測定者情報とに基づいて体組成情報を算出して取得する。より詳細には、内臓脂肪量算出部１７Ａにおいて内臓脂肪量が算出され、皮下脂肪量算出部１７Ｂにおいて皮下脂肪量が算出される。
【００５６】
表示部２６は、たとえばＬＣＤ（Liquid Crystal Display）等によって構成され、上述の体組成情報取得部１７において算出された体組成情報を表示する。より具体的には、内臓脂肪量算出部１７Ａにおいて算出された内臓脂肪量および皮下脂肪量算出部１７Ｂにおいて算出された皮下脂肪量が、制御部１００から出力される信号に基づいて当該表示部２６にて表示される。ここで、本実施の形態における体脂肪測定装置１Ａにおいては、内臓脂肪量がたとえば内臓脂肪断面積で表示され、皮下脂肪量がたとえば皮下脂肪断面積で表示される。
【００５７】
また、表示部２６は、上述のユニット姿勢検出部３０によって検出された装着ユニット１００Ａの姿勢を表示する機能も有している。より具体的には、表示部２６は、制御部１００から出力される信号に基づいて、上述のユニット姿勢検出部３０によって検出された装着ユニット１００Ａの姿勢を可視化して表示する。また、呼吸状態判定部１２の判定結果に基づいた測定のための呼吸に関する各種のガイダンス情報を表示する。
【００５８】
操作部２７は、体脂肪測定装置１Ａに対して被測定者が命令を入力するための部位であり、たとえば被測定者が押下可能なボタン等によって構成される。なお、操作部２７には、たとえば電源ボタンや測定開始を指示するボタン等の各種操作ボタンを含んでいる。
【００５９】
電源部２８は、制御部１００に電力を供給するための部位であり、バッテリ等の内部電源や商用電源等の外部電源等が利用される。
【００６０】
メモリ部２９は、たとえばＲＡＭ（Random Access Memory）やＲＯＭ（Read Only Memory）、不揮発性のメモリ等の各種のメモリによって構成され、体脂肪測定装置１Ａに関する各種のデータやプログラム等を記憶するための部位である。
【００６１】
（装置の概観）
図３は、本実施の形態における体脂肪測定装置１Ａの非収納状態を示す斜視図であり、図４は、収納状態を示す斜視図である。また、図５は、図３および図４に示す装着ユニットの上面図である。次に、これら図３ないし図５を参照して、本実施の形態における体脂肪測定装置１Ａの具体的な構造について説明する。
【００６２】
図３および図４に示すように、本実施の形態における体脂肪測定装置１Ａは、装着ユニット１００Ａと、台ユニット２００とを備えている。装着ユニット１００Ａは、後述する装着状態において被測定者の胴部を取り囲むように配置することが可能な枠状の形状を有している。一方、台ユニット２００は、被測定者が乗ることが可能な台状の形状を有している。なお、装着ユニット１００Ａと台ユニット２００とは、これらの内部に設けられる電気回路を電気的に接続するための接続ケーブル４０によって接続されている。
【００６３】
図３ないし図５に示すように、装着ユニット１００Ａは、棒状の後部枠状部１１１、棒状の右側部枠状部１１２、棒状の左側部枠状部１１３および棒状の前部枠状部１１４を含む枠体１１０と、枠体１１０の後部枠状部１１１に取付けられた電極支持体１２０と、枠体１１０の前部枠状部１１４に取付けられた表示用ユニット部１３０とを含んでいる。
【００６４】
枠体１１０は、上面視略矩形の額縁状の外形を有しており、被測定者が内部に入ること（すなわち胴部を挿入すること）を可能にする中空開口部を有している。当該中空開口部は、上述した後部枠状部１１１、右側部枠状部１１２、左側部枠状部１１３および前部枠状部１１４によって規定されている。なお、左側部枠状部１１３と前部枠状部１１４とは不連続となっており、当該不連続部分に隣接する前部枠状部１１４の端部に上述した表示用ユニット部１３０が取付けられている。
【００６５】
枠体１１０の後部枠状部１１１の略中央部には、内側に向けて突出するように電極支持体１２０が配置されている。電極支持体１２０は、その両端部が前方に位置するとともにその中央部が後方に位置するように曲成された湾曲板にて構成されている。電極支持体１２０の前面１２１には、上述した背部用電極ＢＵ１〜ＢＵ４，ＢＬ１〜ＢＬ４が露出するように設けられており、好ましくは、当該背部用電極ＢＵ１〜ＢＵ４，ＢＬ１〜ＢＬ４は、電極支持体１２０の前面１２１から僅かに突出している。ここで、上記電極支持体１２０は、後述する装着状態において背部用電極ＢＵ１〜ＢＵ４，ＢＬ１〜ＢＬ４の被測定者の背部表面に対する接触面が前方を向くように、後部枠状部１１１の前面に位置決めして取付けられている。
【００６６】
また、図５に示すように、電極支持体１２０は、枠体１１０の後部枠状部１１１にたとえばボールジョイント等を含む接続部１１５を介して取付けられている。これにより、電極支持体１２０は、後部枠状部１１１によって揺動可能に支持されている。なお、その揺動方向としては、電極支持体１２０が水平面内において左右に揺動する方向にのみ揺動可能となるように制限されていることが好ましい。このように構成すれば、後述する装着状態において、電極支持体１２０の前面１２１に設けられた背部用電極ＢＵ１〜ＢＵ４，ＢＬ１〜ＢＬ４を確実にかつ適正な押し付け力にて被測定者の背部に接触させることができる。
【００６７】
また、接続部１１５にバネ等の弾性体を具備させることにより、電極支持体１２０が後部枠状部１１１によって弾性支持されるように構成してもよい。このように構成すれば、後述する装着状態において、電極支持体１２０の前面１２１に設けられた背部用電極ＢＵ１〜ＢＵ４，ＢＬ１〜ＢＬ４をより確実にかつより適正な押し付け力にて被測定者の背部に接触させることができる。
【００６８】
図３ないし図５に示すように、枠体１１０の右側部枠状部１１２の略中央部には、上述した手用電極ＨＲが設けられている。手用電極ＨＲは、枠体１１０の右側部枠状部１１２の表面に露出して位置している。また、手用電極ＨＲが設けられた部分の枠体１１０の右側部枠状部１１２は、棒状に形成されることで右手での把持が可能な形状とされている。ここで、手用電極ＨＲの被測定者の右手の掌との接触面は、主として枠体１１０の外側を向くように配置されていることが好ましい。
【００６９】
また、枠体１１０の右側部枠状部１１２の略中央部の内部には、上述した胴部の横幅検出部１８Ａに対応の光センサ２４Ａ１が埋設される。光センサ２４Ａ１から出射される光は、透過する部材にて構成され透過窓（図示せず）を介して外部に出力される。
【００７０】
また、枠体１１０の右側部枠状部１１２の前端部近傍の内部には、上述したユニット姿勢検出部３０としての加速度センサが埋設されている。当該加速度センサは、枠体１１０の軸線を含む面（すなわち、枠体１１０によって規定される中空開口部の軸線と直交する面）が水平面と平行な状態にあるか、それとも水平面に対してどの程度傾斜しているかが検知可能となるように、当該枠体１１０に対して位置決めして設けられており、必要に応じて複数の加速度センサを組み合わせることで構成される。
【００７１】
さらに、枠体１１０の右側部枠状部１１２の所定位置には、測定開始を指示する測定ボタン２７ａが設けられている。当該測定ボタン２７ａは、好ましくは手用電極ＨＲに隣接する位置に設けられる。これにより、測定の際に被測定者が右手を移動させる必要がなくなるため、操作性に優れたものとすることができる。
【００７２】
枠体１１０の左側部枠状部１１３の略中央部には、上述した手用電極ＨＬが設けられている。手用電極ＨＬは、枠体１１０の左側部枠状部１１３の表面に露出して位置している。また、手用電極ＨＬが設けられた部分の枠体１１０の左側部枠状部１１３は、棒状に形成されることで左手での把持が可能な形状とされている。ここで、手用電極ＨＬの被測定者の左手の掌との接触面は、主として枠体１１０の外側を向くように配置されていることが好ましい。
【００７３】
また、図５に示すように、枠体１１０の左側部枠状部１１３の略中央部の内部には、光センサ２４Ａ２が埋設される。光センサ２４Ａ２から出射される光は、光を透過する部材にて構成される窓（図示せず）を介して外部に出力される。
【００７４】
図３ないし図５に示すように、枠体１１０の前部枠状部１１４には、上述したように表示用ユニット部１３０が取付けられている。当該表示用ユニット部１３０の上面には、表示部２６が設けられている。ここで、表示部２６は、測定結果や各種ガイダンス等を数字や文字あるいはグラフ等にて表示するための表示部２６Ａと、装着ユニット１００Ａの姿勢を可視化して表示するための表示部２６Ｂとを含む。また、当該表示部２６に隣接する部分の表示用ユニット部１３０の上面には、情報入力部２５と、測定ボタン２７ａを除く他の操作部２７とが設けられている。なお、表示用ユニット部１３０は、装着状態において被測定者の正面に配置されることが好ましく、そのため当該表示用ユニット部１３０は、上述した電極支持体１２０の前方（すなわち枠体１１０の左右方向における略中央部）に配置されている。
【００７５】
また、図５に示すように、表示用ユニット部１３０の内部には、縦幅検出部１８Ｂに対応の光センサ２４Ｂ１が埋設される。光センサ２４Ｂ１が埋設された部分の表示用ユニット部１３０の後面側部分には、光センサ２４Ｂ１から出射される光を透過する部材にて構成される窓（図示せず）が設けられる。
【００７６】
一方、図３および図４に示すように、台ユニット２００は、箱状の台部２１０と、この台部２１０の前面、後面、右側面および左側面の所定位置からそれぞれ台部２１０の外側に向かって突出して位置する支持部２２０とを備えている。
【００７７】
台部２１０は、被測定者が乗るための上面２１１を有しており、当該上面２１１の所定位置に、上述した足用電極ＦＲ，ＦＬがそれぞれ設けられている。足用電極ＦＲ，ＦＬは、台部２１０の上面に露出して位置している。ここで、当該足用電極ＦＲ，ＦＬの被測定者の右足の足の裏および左足の足の裏に接触する接触面は、いずれも上方を向くように構成されている。
【００７８】
支持部２２０は、図４に示すように、収納状態において装着ユニット１００Ａを支持して収容するための部位であり、枠体１１０の後部枠状部１１１、右側部枠状部１１２、左側部枠状部１１３および前部枠状部１１４をそれぞれ受け入れて支持することが可能な形状を有している。図示するように、収納状態においては、台ユニット２００の台部２１０を取り囲むように装着ユニット１００Ａの枠体１１０が配置されることになる。なお、当該収納状態においては、装着ユニット１００Ａと台ユニット２００とを接続する接続ケーブル４０が台ユニット２００内に収容されるように構成されていることが好ましい。このように構成するためには、台ユニット２００の内部に接続ケーブル４０を巻き取ることが可能なリール体を設けることとすればよい。
【００７９】
上述した図２に示した制御部１００、定電流生成部２１、端子切替部２２、電位差検出部２３、メモリ部２９等は、装着ユニット１００Ａの内部に設けられていてもよいし、台部２１０の内部に設けられていてもよい。また、本実施の形態における体脂肪測定装置１Ａにあっては、情報入力部２５、表示部２６および操作部２７が装着ユニット１００Ａに設けられているが、これらを台ユニット２００に設けることとしてもよい。
【００８０】
（装着のための手順）
図６ないし図８は、本実施の形態における体脂肪測定装置１Ａを用いて測定を行なう場合に被測定者がとるべき手順を説明するための図である。また、図９および図１０は、本実施の形態における体脂肪測定装置１Ａの装着ユニットの装着状態を示す図である。次に、これら図６ないし図１０を参照して、本実施の形態における体脂肪測定装置を用いて測定を行なう場合に被測定者がとるべき手順および装着ユニットの装着状態について説明する。
【００８１】
図６に示すように、本実施の形態における体脂肪測定装置１Ａを用いて体脂肪量の測定を行なう場合には、まず、被測定者３００は、収納状態にある体脂肪測定装置１Ａの台ユニット２００上に乗る。このとき、被測定者３００は、右足３０１の足の裏が台ユニット２００に設けられた足用電極ＦＲに接触し、かつ左足３０２の足の裏が台ユニット２００に設けられた足用電極ＦＬに接触するようにする。
【００８２】
次に、図７に示すように、被測定者３００は、上体を屈めてしゃがんだ姿勢をとり、右手３０３にて装着ユニット１００Ａの右側部枠状部１１２を把持するとともに、左手３０４にて装着ユニット１００Ａの左側部枠状部１１３を把持する。このとき、被測定者３００は、右手３０３の掌が装着ユニット１００Ａに設けられた手用電極ＨＲに接触し、かつ左手３０４の掌が装着ユニット１００Ａに設けられた手用電極ＨＬに接触するようにする。
【００８３】
次に、図８に示すように、被測定者３００は、装着ユニット１００Ａを把持した状態を維持しつつ上体を起こし、起立姿勢をとる。このとき、被測定者３００は、踏み位置を変えずに、右足３０１の足の裏と足用電極ＦＲとが接触し、かつ左足３０２の足の裏と足用電極ＦＬとが接触した状態を維持する。ここで、被測定者３００が上体を起こすことにより、装着ユニット１００Ａは持ち上げられ、被測定者３００の胴部３０５は、装着ユニット１００Ａの中空開口部に位置し、枠体１１０によって囲まれた状態となる。なお、接続ケーブル４０は、装着ユニット１００Ａが持ち上げられることにより、台ユニット２００から引き出されることになる。
【００８４】
次に、被測定者３００は、装着ユニット１００Ａに設けられた電極支持体１２０の前面１２１が背部表面（より具体的には、背中側の腰の表面）に押し当てられることとなるように、装着ユニット１００Ａを把持した状態のまま装着ユニット１００Ａを図中矢印Ｃ方向に移動させることでその位置を調節する。
【００８５】
このとき、被測定者３００は、上記電極支持体１２０の背部表面への押し当ての調節を行なうとともに、装着ユニット１００Ａの姿勢を視認可能に表示する表示部２６Ｂを目視してこれを参考にしつつ、装着ユニット１００Ａが水平に配置されるように装着ユニット１００Ａの姿勢を調節する。より詳細には、被測定者３００は、枠体１１０の右側部枠状部１１２および左側部枠状部１１３を把持した右手および左手の角度や当該右手および左手を置く空間的な位置等を調節することにより、装着ユニット１００Ａを水平に配置させる。装着ユニット１００Ａの姿勢を調節した後は、被測定者３００は、当該水平姿勢を維持する。
【００８６】
以上により、図９に示す如くの装着ユニット１００Ａの装着状態が実現され、体脂肪量の測定が開始可能となる。ここで、体脂肪量の測定を開始するためには、被測定者３００は、右手３０３の親指で測定ボタン２７ａを押下すればよい。なお、上記においては説明を省略したが、被測定者３００は、適宜のタイミングで電源ボタンを投入することが要求される。当該電源ボタンの投入のタイミングは特に限定されるものではないが、被測定者３００がしゃがんだ姿勢をとって装着ユニット１００Ａを把持する前のタイミングにおいて電源ボタンが投入されることが好ましい。
【００８７】
図１０に示すように、被測定者３００が装着ユニット１００Ａを装着した装着状態においては、被測定者３００の臍位置を含む胴部３０５の周りに胴部の横幅検出部１８Ａに対応した光センサ２４Ａ１，２４Ａ２、ならびに胴部の縦幅検出部１８Ｂに対応の光センサ２４Ｂ１が位置することになる。したがって、横幅検出部１８Ａに対応の一対の光センサ２４Ａ１，２４Ａ２から出射された光は、それぞれ被測定者３００の胴部３０５の右側面（すなわち右脇腹部表面）および胴部３０５の左側面（すなわち左脇腹部表面）に照射可能となり、胴部の縦幅検出のための光センサ２４Ｂ１から出射された光は、被測定者３００の胴部３０５の前面（すなわち腹部の臍位置近傍）に照射可能となる。
【００８８】
このとき、これら光センサを用いて胴部横幅および胴部縦幅を正確に測るためには、装着ユニット１００Ａの水平姿勢が保たれていることが重要である。そのため、本実施の形態における体脂肪測定装置１Ａにおいては、上述したユニット姿勢検出部３０が装着ユニット１００Ａに設けられており、当該ユニット姿勢検出部３０にて検出された装着ユニット１００Ａの姿勢を表示部２６Ｂにおいて視認可能に表示することとしている。すなわち、当該表示部２６Ｂを被測定者３００が視認してこれを参考に装着ユニット１００Ａの姿勢が水平姿勢に維持されるように誘導することを可能にしている。
【００８９】
（胴幅の測定）
ここで、測距センサとしての光センサ２４Ａ１，２４Ａ２，および２４Ｂ１を用いた距離測定では、センサ内部の光源（ＬＥＤ（Light Emitting Diode）またはレーザダイオードなど）から光が照射される。照射された光は体表面にあたると反射され、反射光はセンサ内部の受光素子で受光される。受光素子にＰＳＤ（（Position Sensitive Detector）などを用いる。光センサは、受光素子と体表面との距離の変化による受光素子の結像位置を、距離に換算して出力する。または、光が照射されてから受光されるまでの時間を測定し、その時間を距離に換算して出力する。
【００９０】
図１０に示すように、胴部横幅検出のための一対の光センサ２４Ａ１，２４Ａ２にて検出された距離Ａ１（すなわち、右側部枠状部１１２と被測定者３００の胴部３０５の右側面との間の距離）および距離Ａ２（すなわち、左側部枠状部１１３と被測定者３００の胴部３０５の左側面との間の距離）と、予め定められている距離Ａ（すなわち、右側部枠状部１１２と左側部枠状部１１３との間の距離）とを用いて、横幅検出部１８Ａは被測定者３００の胴部３０５の横幅２ａを算出する。また、同様に、光センサ２４Ｂ１にて検出された距離Ｂ１（すなわち、表示用ユニット部１３０の後面と被測定者３００の胴部３０５の前面との間の距離）と、予め定められている距離Ｂ（すなわち、表示用ユニット部１３０の後面と電極支持体１２０の前面１２１の水平方向の中央位置との間の距離）とを用いて、縦幅検出部１８Ｂは、被測定者３００の胴部３０５の縦幅２ｂを算出する。体形情報測定部１８は、算出された横幅２ａと縦幅２ｂをメモリ部２９に格納する。
【００９１】
ここで、ノイズ除去部２４はＬＰＦ（Low Pass Filter）を含み、光センサ２４Ａ１、２４Ａ２および２４Ｂ１から出力される電圧信号を入力し、入力した電圧信号に含まれるノイズ成分（高周波信号成分）をＬＰＦにより除去して、制御部１００に出力する。これにより、距離Ｂ１，Ａ１，Ａ２を正確に測定することができる。
【００９２】
なお、胴部の横幅および縦幅の検出に用いる測距センサには、上述した光センサの他にも、超音波や電磁波（レーザ光、可視光等を含む各種波長帯の光、電波、磁気、電界等）を利用する各種の非接触式測距センサを利用することができる。
【００９３】
上述した距離の測定に際しては、仮に装着ユニット１００Ａの姿勢が水平姿勢に維持されていない場合には、装着ユニット１００Ａが傾くことによって上述した距離Ｂ１、距離Ｂ２および距離Ａ１が正しく測距されずに横幅２ａおよび縦幅２ｂは誤差を含むものとなってしまうといった問題や、胴部の横幅および縦幅の測定自体が行なえないなどの不具合を招来する。この課題は、次のようにして解消することができる。
【００９４】
（装着ユニットの姿勢表示）
図１１は、本実施の形態における体脂肪測定装置の装着ユニットの姿勢を表示する表示部における表示例を示す図である。次に、この図１１を参照して、本実施の形態における体脂肪測定装置の装着ユニットの姿勢を表示する表示部における表示例について説明する。
【００９５】
図１１に示すように、本実施の形態における体脂肪測定装置１Ａにおいては、被測定者が直感的に装着ユニット１００Ａの姿勢が認識できるように、ユニット姿勢検出部３０の検出結果に基づくガイダンス情報が、ガイド部１０によって表示される。
【００９６】
具体的には、表示部２６Ｂの表示画面中には、装着ユニット１００Ａの左右方向を表わす補助線Ｌ１と、装着ユニット１００Ａの前後方向を表わす補助線Ｌ２とが表記されており、さらにこれら補助線Ｌ１と補助線Ｌ２との交点を中心とする円にて、装着ユニット１００Ａの姿勢の許容範囲を示す領域ＴＥが補助的に表記されている。そして、当該画面中においては、ユニット姿勢検出部３０にて検出された検出結果を示すインジケータＩＣがたとえば円で表わされる。
【００９７】
ここで、図示する表示状態においては、装着ユニット１００Ａの右前方部分（すなわち右側部枠状部１１２と前部枠状部１１４との接続部分）が他の部分に比べて低い状態にあることを示しており、被測定者は、インジケータＩＣが上記許容範囲を示す領域ＴＥの内部に納まるように（すなわち、インジケータＩＣが図中に仮想線で示すＩＸの位置に移動するように）装着ユニット１００Ａの姿勢を調整することになる。
【００９８】
（体脂肪測定のための処理）
図１２〜図２０を参照して、体脂肪測定装置１Ａによる体脂肪測定のための処理について説明する。図１２〜図１４には測定処理のフローチャートが示され、図１５には、メモリ部２９の記憶内容の一例が示される。図１６には、体脂肪測定時に呼吸状態を測定に適した状態に移行させるために表示されるガイダンス情報は例示される。
【００９９】
図１２〜図１４のフローチャートに示す処理は、予めプログラムとしてメモリ部２９に格納されており、演算処理部１５を含む制御部１００がこのプログラムを読み出して実行することにより、内臓脂肪断面積の測定処理、皮下脂肪断面積の測定処理が制御部１００によって実現される。
【０１００】
メモリ部２９には、図１５に示すように後述の呼吸データ２９１、係数群２９３および閾値ＴＨ１，ＴＨ２のデータが格納されるとともに、測定された胴部横幅２ａと縦幅２ｂ、測定された生体インピーダンスＺｓ，Ｚｔ、被測定者情報や算出された体組成情報、後述する体組成情報の測定処理を実行するための体組成情報測定プログラム・データなどが格納される。
【０１０１】
図１７〜図２０には、体脂肪測定時の呼吸状態を判定するための閾値の決定手順を模式的に示す図である。
【０１０２】
（呼吸状態の推定）
まず、呼吸推定部１１による被測定者の呼吸状態の推定処理について説明する。
【０１０３】
測定ボタン２７ａが操作されて測定処理が開始されると、呼吸推定部１１は被測定者の呼吸状態の推定を開始する。
【０１０４】
具体的には、制御部１００の指令に基づき、光センサ２４Ｂ１は被測定者３００の胴部３０５の前面（すなわち腹部の臍位置近傍）に周期的に光を照射する。照射された光は、胴部３０５の前面において反射される。これにより、光センサ２４Ｂ１は、胴部３０５の前面において反射された光を、周期的に受光する。光センサ２４Ｂ１は受光信号に基づき、距離Ｂ１を指す電圧信号を出力する。電圧信号は、ノイズ除去部２４によってノイズが除去された後に、呼吸推定部１１に出力される。呼吸推定部１１は、ノイズ除去部２４から出力される電圧信号を、計時部２０の計時データに従って時系列に入力する。そして、時系列に入力する電圧信号をデジタルデータに変換し、変換後の時系列データを、メモリ部２９に呼吸データ２９１として格納する。したがって、呼吸推定部１１は、光センサ２４Ｂ１を用いて測定される距離Ｂ１の時系列のデータ、すなわち呼吸による腹部の膨張収縮に伴った縦幅２ｂの変化を指す呼吸データ２９１を取得することによって、被測定者の呼吸状態を推定する。
【０１０５】
なお、呼吸推定部１１は、測定が開始されてから、少なくとも生体インピーダンスの測定または脂肪量の算出が完了するまでの期間は、光センサ２４Ｂ１を用いて測定される距離Ｂ１の時系列のデータである呼吸データ２９１の取得を継続して行なうと想定する。
【０１０６】
（閾値決定処理）
測定時に呼吸状態を判定するために用いるべき閾値を決定する手順について、図１７〜図２１を参照して説明する。図１７には、呼吸データ２９１の一例が模式的に示され、図１８と図１９には、閾値の具体的な決定方法が示される。
【０１０７】
測定開始後において、閾値決定部１２Ｄによる閾値決定処理が開始されると、ガイド部１０は、表示部２６Ａに呼吸状態に関するガイダンス情報を出力する。まず、呼吸を整えて呼吸安定状態へ移行させるよう促すガイダンス情報を出力する。被測定者は、表示されるガイダンス情報に基づき呼吸を安定状態に移行させるように整える。
【０１０８】
呼吸安定状態の促すためのガイダンス情報がされた後に、呼吸安定判定部１２Ｃは、メモリ部２９の呼吸データ２９１に基づき、呼吸データ２９１が示す波形の振幅・周期（すなわち、呼吸による腹部の膨張収縮に伴う縦幅２ｂの変化の大きさと、変化の周期）が略一定となる状態、すなわち呼吸安定状態が所定期間継続したか否かを判定する。
【０１０９】
ここでは、呼吸安定判定部１２Ｃは、波形の振幅・周期が一定である状態が、所定期間Ｔ継続したとき、呼吸は呼吸安定状態であると判定する。
【０１１０】
呼吸安定状態が判定されると、ガイド部１０は表示部２６Ａに、息を吐いて吐いた状態で息を停止するように促すガイダンス情報を表示する。
【０１１１】
被測定者は、ガイダンス情報に基づき息を吐き、息を吐いた状態で息を停める。その後、ガイド部１０は、表示部２６Ａを介して、息をしてくださいとガイダンスを出力する。被測定者は、ガイダンスに基づき呼吸停止状態から呼吸を再開する。
【０１１２】
このように、被測定者がガイド部１０からのガイダンス情報に従って呼吸状態を切替る期間において、呼吸推定部１１により、距離Ｂ１の変化を示す呼吸データ２９１（図１７）が取得される。
【０１１３】
図１７では、時間ｔの経過に従う距離Ｂ１の変化が示される。図１７によれば、測定開始後の時間ｔ１〜ｔ２の所定期間Ｔでは呼吸は呼吸安定状態（振幅・周期は略一定）にあるが、その後の時間ｔ３で息を吐き始めて息を停める。そして、その後の時間ｔ４で息を再開する、すなわち息を吸い始めることにより、その後のポイントＰの時間で呼吸が再開される。したがって、図１７の時間ｔ３〜ポイントＰの時間までは、呼吸停止状態ＢＰを指す。
【０１１４】
閾値決定部１２Ｄは、図１７に示す呼吸データ２９１に基づき閾値ＴＨ１とＴＨ２を決定する。閾値ＴＨ１とＴＨ２は、被測定者が呼吸停止状態ＢＰ、呼吸している状態および息を吐きすぎた状態であると判定するために用いられる。図１８には、閾値ＴＨ１の決定方法が模式的に示され、図１９には、閾値ＴＨ２の決定方法が模式的に示される。
【０１１５】
閾値ＴＨ１の決定方法について図１８を参照して説明する。
閾値決定部１２Ｄは、呼吸データ２９１のうち所定期間Ｔに対応のデータが指す波形（図１７参照）を微分処理などすることにより基準値（振幅の最大値ＭＡＸと最小値ＭＩＮ）を算出するとともに、中央値、すなわち最大値ＭＡＸと最小値ＭＩＮの平均値ＡＶＧを算出する。そして、所定期間Ｔに対応の呼吸データ２９１が指す波形の振幅値に、閾値算出のための所定係数を乗算し、乗算結果と基準値のそれぞれとを用いて演算する。演算結果の各値を閾値ＴＨ１と決定する。
【０１１６】
具体的には、所定期間Ｔで取得される各波形の振幅の平均値を算出し、算出した平均振幅値のｙ％の値を最大値ＭＡＸから減算した結果、または、算出した平均振幅値のｙ％の値を最小値ＭＩＮに加算した結果を、閾値ＴＨ１と決定する。
【０１１７】
または、所定期間Ｔで取得される各波形について略半周期の振幅の平均値を算出し、算出した平均振幅値のｘ％の値を平均値ＡＶＧから減算した結果、または、算出した平均振幅値のｘ％の値を最小値ＭＩＮに加算した結果を閾値ＴＨ１と決定する。
【０１１８】
次に、閾値ＴＨ２の決定方法について図１９を参照して説明する。
まず、上述のように基準値（最大値ＭＡＸと最小値ＭＩＮの平均値ＡＶＧ）を算出する。そして、所定期間Ｔで取得される各波形の振幅の平均値を算出し、算出した平均振幅値のｙ％の値を最大値ＭＡＸから減算した結果、または、算出した平均振幅値のｙ％の値を最小値ＭＩＮから減算した結果を、閾値ＴＨ２と決定する。
【０１１９】
または、所定期間Ｔで取得される各波形について略半周期の振幅の平均値を算出し、算出した平均振幅値のｘ％の値を平均値ＡＶＧから減算した結果、または、算出した平均振幅値のｘ％の値を最小値ＭＩＮから減算した結果を閾値ＴＨ２と決定する。
【０１２０】
なお、閾値ＴＨ１とＴＨ２を算出するための所定係数（ｙ％，ｘ％）は、予め実験により検出されており、係数群２９３としてメモリ部２９に格納されているので、閾値決定部１２Ｄは、メモリ部２９から読出した所定係数（ｙ％，ｘ％）を用いて閾値を算出することができる。算出された閾値ＴＨ１とＴＨ２は、メモリ部２９に格納される。
【０１２１】
なお、上述した閾値ＴＨ１とＴＨ２は、所定期間Ｔにおいて取得された呼吸データ２９１に基づき最大値ＭＡＸおよび最小値ＭＩＮを算出するとしたが、算出の方法はこれに限定されない。
【０１２２】
たとえば、図２０に示すように所定期間Ｔを複数の期間Ｔ２に分割して、期間Ｔ２毎に、当該期間Ｔ２で取得された呼吸データ２９１に基づき最大値ＭＡＸおよび最小値ＭＩＮを算出する。そして、直前の期間Ｔ２において取得された最大値ＭＡＸおよび最小値ＭＩＮは、次位の期間Ｔ２で算出される最大値ＭＡＸおよび最小値ＭＩＮを用いて更新する。そして、最終的に算出された最大値ＭＡＸおよび最小値ＭＩＮを用いて、平均値ＡＶＧを算出する。その後に、閾値ＴＨ１とＴＨ２を算出するようにしてもよい。
【０１２３】
（正規化処理）
閾値ＴＨ１とＴＨ２は、上述の算出方法に限定されない。つまり、閾値ＴＨ１とＴＨ２は呼吸データ２９１の波形の振幅値に基づき算出されるが、振幅値は、被測定者毎の呼吸の仕方の違いによりまちまちであるので、固定の所定係数（ｙ％、ｘ％）を用いた場合には、閾値ＴＨ１，ＴＨ２に基づき呼吸停止の判定、および呼吸の判定の基準が、被測定者毎にばらつき、正確な測定精度を得ることが困難となるおそれがある。
【０１２４】
そこで、このばらつきを解消するために、呼吸推定部１１の正規化部１１Ａは、被測定者の呼吸データ２９１に基づく振幅を、メモリ部２９の係数群２９３から読出した係数Ｇを用いて補正する。具体的には、図２１に示すように、呼吸データ２９１に基づく波形の振幅Ｘを、係数Ｇを乗算することにより正規化する。正規化された振幅Ａを用いることにより、被測定者の区別なく、呼吸状態を判定するための適切な閾値ＴＨ１、ＴＨ２を適用することが可能になる。
【０１２５】
また、正規化された振幅Ａを用いることにより、所定係数（ｙ％、ｘ％）が固定の所定係数であることから、閾値ＴＨ１とＴＨ２は被測定者間に共通した閾値とすることができるので、閾値ＴＨ１とＴＨ２の決定処理を省略することができる。
【０１２６】
なお、振幅を正規化するための係数Ｇの決定方法については、学習によって決定することができる。すなわち、被測定者毎に、呼吸安定状態で検出される呼吸データ２９１に基づく波形の振幅を一定時間測定し、一定時間内で測定された振幅値Ｘが所定値Ａとなるような係数Ｇを算出する。このようにして、被測定者毎に係数Ｇとして決定することができる。
【０１２７】
（全体処理）
図１２〜図１４を参照して、体脂肪測定装置の測定時の処理について説明する。なお、測定に際して、被測定者は、図９のように、装着ユニット１００Ａを装着していると想定する。
【０１２８】
図１２を参照して、制御部１００は、まず被測定者情報の入力を受け付ける（ステップＳ１）。ここで受け付けた被測定者情報は、たとえばメモリ部２９に一時的に格納される。
【０１２９】
次に、制御部１００は、測定開始の指示があったか否かを判断する（ステップＳ２）。制御部１００は、測定開始の指示があるまで待機し（ステップＳ２においてＮＯ）、測定開始の指示を検知した場合に（ステップＳ２においてＹＥＳ）、次の処理に移行する。なお、測定開始の指示は、被測定者による測定ボタン２７ａの押下による。
【０１３０】
次に、制御部１００は、装着ユニット１００Ａの姿勢が許容範囲内にあるか否か（すなわち装着ユニット１００Ａが水平姿勢にあるか否か）を判断する（ステップＳ３）。具体的には、制御部１００は、ユニット姿勢検出部３０から入力された信号に基づいて装着ユニット１００Ａが上記許容範囲内にないと判断した場合には（ステップＳ３においてＮＯ）、当該許容範囲内になるまで待機する。このとき、ガイド部１０は、図１１のようにガイダンスを表示部２６Ｂに表示することで、装着ユニット１００Ａの姿勢の調節を被測定者に促したり、警告音を発して装着ユニット１００Ａの姿勢が水平姿勢にないことを報知したりする制御を行なってもよい。一方、制御部１００は、ユニット姿勢検出部３０から入力された信号に基づいて装着ユニット１００Ａが上記許容範囲内にあると判断した場合には（ステップＳ３においてＹＥＳ）、次の処理に移行する。
【０１３１】
本実施の形態では、被測定者の呼吸が測定に適した状態であると判定されたとき、閾値決定部１２Ｄによる上述した閾値決定処理が行われる（ステップＳ６）。
【０１３２】
次に、制御部１００は、胴部の横幅および縦幅を計測する（ステップＳ７）。具体的には、ガイド部１０により、息を吐いた状態で息を停止するように促すガイダンス情報が表示部２６Ａに表示される。被測定者は、ガイダンス情報に従って、息を吐いて呼吸を停止する。この状態で、体形情報測定部１８によって、光センサ２４Ａ１，２４Ａ２および２４Ｂ１からの信号に基づいて被測定者の胴部の横幅２ａおよび縦幅２ｂが取得される。取得した被測定者の胴部の横幅２ａおよび縦幅２ｂは、一時的にメモリ部２９に格納される。
【０１３３】
次に、呼吸状態判定部１２により、被測定者の呼吸は、体脂肪の測定に適した状態にあるか否かの判定処理（図１３参照）が行なわれる（ステップＳ９）。この呼吸状態判定の処理では、呼吸推定部１１によって取得された呼吸データ２９１が用いられる。呼吸データ２９１は、光センサ２４Ｂ１の出力に基づく距離Ｂ１（縦幅２ｂ）の時系列の変化を指すものである。ステップＳ９の処理の詳細は後述する。
【０１３４】
制御部１００は、呼吸状態判定部１２の判定結果に基づき、被測定者の呼吸は測定に適した状態ではないと判定すると（ステップＳ１１でＮＯ）、ステップＳ９の処理に戻る。このように、呼吸が測定に適した状態ではないと判定される間は、ステップＳ９の処理が繰返される。この繰返しにより、被測定者の呼吸状態は測定に適した状態に移行するようになる。
【０１３５】
呼吸状態は測定に適した状態であると判定されると（ステップＳ１１でＹＥＳ）、生体インピーダンス測定部１６により、後述する生体インピーダンス測定が行なわれる（ステップＳ１３）。
【０１３６】
生体インピーダンス測定部１６により、生体インピーダンスが測定される過程においては、呼吸判定部１２Ｂにより、被測定者の呼吸が検出されるか否かが判定される。つまり、呼吸判定部１２Ｂは、呼吸推定部１１により取得される呼吸データ２９１と、閾値ＴＨ１とをメモリ部２９から読出し、読出した呼吸データ２９１の値と閾値ＴＨ１とを比較する。比較結果に基づき（呼吸データ２９１の値＞閾値ＴＨ１:図１７参照）と判定すると、被測定者の呼吸が検出されたと判定する。被測定者の呼吸が検出されたときは、生体インピーダンスの測定は中断するので、測定結果は得られない。すなわちインピーダンス測定は未完了と判定される（ステップＳ１４でＮＯ）。その場合は、処理はステップＳ９に移行する。その後は、ステップＳ９およびＳ１１の処理を経て、再度、生体インピーダンス測定部１６により生体インピーダンスが測定される（ステップＳ１３）。測定により算出された生体インピーダンスＺｔ，Ｚｓはメモリ部２９に格納される。
【０１３７】
このように、生体インピーダンスが測定される最中に、呼吸判定部１２Ｂによって被測定者は呼吸をしていると判定されたとき、生体インピーダンスの測定を中断させて、再度、生体インピーダンス測定を開始させる。これにより、測定される生体インピーダンスに、呼吸による腹部組織の収縮膨張に起因した影響が及ぶのを回避できる。
【０１３８】
ステップＳ１３で生体インピーダンスの測定が完了した後は（ステップＳ１４でＹＥＳ）、算出制御部１３によって、体組成情報取得部１７に対し算出の開始が指示される。体組成情報取得部１７はこの指示を入力すると、脂肪量の算出を開始させるように内臓脂肪量算出部１７Ａおよび皮下脂肪量算出部１７Ｂを制御する（ステップＳ１５）。
【０１３９】
具体的には、ステップＳ７で検出された胴部の横幅２ａおよび縦幅２ｂと、ステップＳ１３で算出された生体インピーダンスＺｔ，Ｚｓとをメモリ部２９から読出し、読出したこれら値に基づいて、内臓脂肪量算出部１７Ａにより内臓脂肪量としての内臓脂肪断面積Ｓｘが算出され、皮下脂肪量算出部１７Ｂにより皮下脂肪量としての皮下脂肪断面積Ｓｂとがそれぞれ算出される。算出された内臓脂肪断面積Ｓｘおよび皮下脂肪断面積Ｓｂは、メモリ部２９に格納される。
【０１４０】
脂肪量の算出が終了すると、算出結果、すなわち脂肪量の情報が表示部２６に表示される（ステップＳ２１）。
【０１４１】
以上で、測定処理は終了する。
なお、図１２の処理では、同じ被測定者であっても、測定時には、毎回、閾値ＴＨ１とＴＨ２を取得するための処理（ステップＳ６）が実行されるが、毎回の実行は省略するようにしてもよい。つまり、初回の測定時にステップＳ６で閾値ＴＨ１ＴＨ２を取得した場合には、２回目以降の測定時には、ステップＳ６の処理を省略して、呼吸状態の判定のための閾値として、初回に取得された閾値ＴＨ１とＴＨ２を使用するようにしてもよい。また、省略するか否かは、被測定者が操作部２７を操作して適宜選択するようにしてもよい。
【０１４２】
（呼吸状態判定処理）
図１３を参照して、呼吸状態判定処理（ステップＳ９）を説明する。
【０１４３】
まず、ガイド部１０により、被測定者に対して測定のための呼吸の仕方のガイダンス情報が表示部２６Ａから出力される（ステップＴ０）。
【０１４４】
具体的には、ガイダンス情報により、被測定者は、呼吸を整えて呼吸安定状態とするように促される。その後、呼吸安定判定部１２Ｃは、メモリ部２９の呼吸データ２９１に基づき、呼吸データ２９１が示す波形の振幅・周期が略一定であるか否かを判定する。波形の振幅・周期が略一定であると判定すると、呼吸は呼吸安定状態であると判定する。
【０１４５】
呼吸安定状態が判定されると、ガイド部１０により、息を吐き、息を吐いた状態で呼吸停止状態とするように促すガイダンス情報が表示される。ガイダンス情報を確認した被測定者は、息を吐いて呼吸停止状態を維持する。
【０１４６】
呼吸停止状態に促すガイダンス情報が表示されると、呼吸停止判定部１２Ａは、メモリ部２９から呼吸データ２９１と、閾値ＴＨ１とＴＨ２を読出す。そして、呼吸データ２９１と閾値ＴＨ１〜ＴＨ２とを比較する（ステップＴ３）。
【０１４７】
ガイド部１０は、その比較結果に基づき表示部２６Ａにガイダンス情報を表示する（ステップＴ５）。この表示例が、図１６に示される。図１６の詳細は後述する。
【０１４８】
そして、呼吸停止判定部１２Ａは、比較結果に基づき、呼吸データ２９１が閾値ＴＨ１〜ＴＨ２の範囲内の値を指すか否かを判定する。つまり、被測定者の呼吸が息を吐いて呼吸停止した状態（図１７に示す呼吸停止状態ＢＰ）であるか否か、すなわち測定に適した状態であるか否かを判定する（ステップＴ７）。
【０１４９】
以上が、呼吸状態判定処理である。
（生体インピーダンス測定）
図１４には、生体インピーダンス測定部１６による生体インピーダンス測定（ステップＳ１３）の詳細手順が示される。
【０１５０】
図１４まず、制御部１００は、電極の設定を行なう（ステップＴ１１）。具体的には、制御部１００は、端子切替部２２に対して電極の切替えを行なうように指令を出力し、これに基づいて端子切替部２２は、複数の電極ＨＲ，ＨＬ，ＢＵ１〜ＢＵ４，ＢＬ１〜ＢＬ４，ＦＲ，ＦＬのそれぞれを、図１（Ａ）に示した各電極の如くに設定する。
【０１５１】
次に、制御部１００は、定電流印加電極間に定電流を印加する（ステップＴ１３）。具体的には、制御部１００は、定電流生成部２１に対して定電流を生成するように指令を出力し、これに基づいて定電流生成部２１は、図１（Ａ）に示した定電流印加電極間に生成した定電流ＩＡを印加する。
【０１５２】
次に、制御部１００は、電位差検出電極間の電位差を検出する（ステップＴ１５）。具体的には、制御部１００は、電位差検出部２３に対して電位差を検出するように指令を出力し、これに基づいて電位差検出部２３は、図１（Ａ）に示した電位差検出電極間の電位差ＶＡ１，ＶＡ２，ＶＡ３，ＶＡ４を検出し、これを生体インピーダンス測定部１６に対して出力する。
【０１５３】
次に、制御部１００は、改めて電極の設定を行なう（ステップＴ１９）。具体的には、制御部１００は、端子切替部２２に対して電極の切替えを行なうように指令を出力し、これに基づいて端子切替部２２は、複数の電極ＨＲ，ＨＬ，ＢＵ１〜ＢＵ４，ＢＬ１〜ＢＬ４，ＦＲ，ＦＬのそれぞれを、図１（Ｂ）に示した各電極の如くに設定する。
【０１５４】
次に、制御部１００は、定電流印加電極間に定電流を印加する（ステップＴ２１）。具体的には、制御部１００は、定電流生成部２１に対して定電流を生成するように指令を出力し、これに基づいて定電流生成部２１は、図１（Ｂ）に示した定電流印加電極間に生成した定電流ＩＢ１，ＩＢ２をそれぞれ印加する。
【０１５５】
次に、制御部１００は、電位差検出電極間の電位差を検出する（ステップＴ２３）。具体的には、制御部１００は、電位差検出部２３に対して電位差を検出するように指令を出力し、これに基づいて電位差検出部２３は、図１（Ｂ）に示した電位差検出電極間の電位差ＶＢ１，ＶＢ２を検出し、これを生体インピーダンス測定部１６に対して出力する。
【０１５６】
呼吸判定部１２Ｂは、メモリ部２９から読出した呼吸データ２９１と閾値ＴＨ１とを比較する。比較結果に基づき（呼吸データ２９１の値＞閾値ＴＨ１：図１７参照）と判定すると、被測定者はインピーダンス測定中に呼吸をしていると判定する（ステップＴ２５でＹＥＳ）。この場合には、後述の生体インピーダンスの算出はされずに、図１３の処理に戻る。
【０１５７】
呼吸判定部１２Ｂは、比較結果に基づき（閾値ＴＨ２≦呼吸データ２９１の値≦閾値ＴＨ１）と判定すると、すなわち呼吸を停止した状態であると判定すると（ステップＴ２５でＮＯ）、ステップＴ２７で生体インピーダンスが算出される。このように、生体インピーダンスの測定中に呼吸が検出されると、生体インピーダンスの算出はされないから、算出される生体インピーダンスに、呼吸による内臓位置の変化による影響が及ぶのを抑制できる。
【０１５８】
ステップＴ２７では、制御部１００は、生体インピーダンスＺｔ，Ｚｓを算出する。具体的には、生体インピーダンス測定部１６は、電位差検出部２３から入力された電位差ＶＡ１，ＶＡ２，ＶＡ３，ＶＡ４に基づいて生体インピーダンスＺｔを算出する。算出された生体インピーダンスＺｔは、メモリ部２９に一時的に格納される。生体インピーダンス測定部１６は、電位差検出部２３から入力されたＶＢ１，ＶＢ２に基づいて生体インピーダンスＺｓを算出する。算出された生体インピーダンスＺｓは、メモリ部２９に一時的に格納される。その後、処理は、図１３の処理に戻る。
【０１５９】
生体インピーダンスは呼吸停止状態（図１７の呼吸停止状態ＢＰに相当）において測定されるべきであるので、上述の手順では、被測定者の呼吸が検出されると（ステップＴ２５でＹＥＳ）、生体インピーダンスの測定を中断して、再度、生体インピーダンスの測定を開始するようにしたが、次のようにしてもよい。つまり、生体インピーダンスを測定し、被測定者の呼吸が検出されるときは、測定された生体インピーダンスを用いた脂肪量の算出を中断し、再度、生体インピーダンス測定と脂肪量算出とを開始させるようにしてもよい。
【０１６０】
つまり、内臓脂肪量算出部１７Ａおよび皮下脂肪量算出部１７Ｂにより脂肪量を算出する過程において、呼吸判定部１２Ｂは、上述と同様に、被測定者の呼吸が検出されるか否かを判定する。呼吸が検出されたと判定されると、再算出制御部１４は、体組成情報取得部１７に対し、算出の中断を指示する。この指示に応じて、体組成情報取得部１７は、内臓脂肪量算出部１７Ａおよび皮下脂肪量算出部１７Ｂを、脂肪量の算出動作を中断するように制御する。これにより、内臓脂肪量算出部１７Ａおよび皮下脂肪量算出部１７Ｂは、現在、行なわれている脂肪量の算出動作を中断する。その後は、ステップＳ９およびＳ１１を経て、ステップＳ１３で再度、生体インピーダンスが測定されて、ステップＳ１５で、再度、内臓脂肪量算出部１７Ａおよび皮下脂肪量算出部１７Ｂによる脂肪量の算出が開始される。
【０１６１】
これにより、算出される脂肪量に、呼吸による影響が及ぶのを抑制できる。
（呼吸安定状態のためのガイダンス表示例）
ガイド部１０による、呼吸を呼吸安定状態に移行させるように促すためのガイダンス情報の表示（図１３のステップＴ５）の一例を、図１６を参照して説明する。
【０１６２】
図１６においては、複数個の矩形のピクトグラムが、一列に並べて配置される。ピクトグラムの列に対応して、呼吸状態を示す文字“許容範囲”，“息吸いすぎ”，“息吐きすぎ”が表示される。比較結果に基づき、呼吸データ２９１の値が閾値ＴＨ１〜ＴＨ２の範囲内の値を指すと判定されると、“許容範囲”に対応のピクトグラムが点灯するが、閾値ＴＨ１よりも大きいと判定されると、“息吸いすぎ”に対応のピクトグラムが点灯し、閾値ＴＨ２よりも小さい判定されると、“息吐きすぎ”に対応のピクトグラムが点灯する。
【０１６３】
なお、“許容範囲”，“息吸いすぎ”，“息吐きすぎ”の３段階表示に限定されない。たとえば、“許容範囲”，“息吸いすぎ”，“息吐きすぎ”それぞれについて、対応するピクトグラムを複数個配置して、呼吸データ２９１の値と閾値ＴＨ１，ＴＨ２の差分の大きさに応じて、複数個のピクトグラムのうちのいずれかを点灯するようにしてもよい。図１６では、“息吸いすぎ”に対応の３個のピクトグラムのうち、閾値ＴＨ１との差分の大きさに応じて２番目のピクトグラムＩが点灯している状態が示される。
【０１６４】
また、図１６のように“許容範囲”のピクトグラムを指すような矢印ＡＲを同時に表示することにより、被測定者に、矢印ＡＲ方向のピクトグラムが点灯するように呼吸を調整するよう促すことができる。
【０１６５】
図１６の表示によれば、呼吸（息を吐きすぎ，吸いすぎ）の変化を、インジケータとして提示することができる。
【０１６６】
（変形例）
ここでは、距離Ｂ１の時間的な変化（すなわち胴部縦幅２ｂの時間的な変化）を、臍位置に対応する部分の胴部の横断面の形状の時間的な変化として検出したが、胴部形状の変化の検出はこれに限定されない。
【０１６７】
たとえば、呼吸推定部１１は、光センサ２４Ａ１，２４Ａ２，２４Ｂ１を用いて測定される、距離Ａ１，Ａ２，Ｂ１、ならびに横幅２ａ，縦幅２ｂに基づき、当該胴部の形を算出する。そして、算出される胴部の形の時間的変化、特定的には、胴部の当該横断面の面積の時間的変化に基づき、胴部形状の時間的な変化を検出し、検出結果に基づき呼吸データ２９１を取得するようにしてもよい。
【０１６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６９】
１Ａ  体脂肪測定装置、２ａ  胴部横幅、２ｂ  胴部縦幅、１０  ガイド部、１１  呼吸推定部、１１Ａ  正規化部、１２  呼吸状態判定部、１２Ａ  呼吸停止判定部、１２Ｂ  呼吸判定部、１２Ｃ  呼吸安定判定部、１２Ｄ  閾値決定部、１３  算出制御部、１４  再算出制御部、１５  演算処理部、１６  生体インピーダンス測定部、１７  体組成情報取得部、１７Ａ  内臓脂肪量算出部、１７Ｂ  皮下脂肪量算出部、１８  体形情報測定部、１８Ａ  横幅検出部、１８Ｂ  縦幅検出部、２１  定電流生成部、２２  端子切替部、２３  電位差検出部、２４  ノイズ除去部、２４Ａ１，２４Ａ２，２４Ｂ１  光センサ、２５  情報入力部、２６，２６Ａ，２６Ｂ  表示部、２７  操作部、２７ａ  測定ボタン、２９  メモリ部、３０  ユニット姿勢検出部、１００  制御部、１００Ａ  装着ユニット、２９１  呼吸データ、２９３  係数群、ＢＵ１〜ＢＵ４，ＢＬ１〜ＢＬ４  背部用電極。
【図１】
0005659591.tif 000002
【図２】
0005659591.tif 000003
【図３】
0005659591.tif 000004
【図４】
0005659591.tif 000005
【図５】
0005659591.tif 000006
【図６】
0005659591.tif 000007
【図７】
0005659591.tif 000008
【図８】
0005659591.tif 000009
【図９】
0005659591.tif 000010
【図１０】
0005659591.tif 000011
【図１１】
0005659591.tif 000012
【図１２】
0005659591.tif 000013
【図１３】
0005659591.tif 000014
【図１４】
0005659591.tif 000015
【図１５】
0005659591.tif 000016
【図１６】
0005659591.tif 000017
【図１７】
0005659591.tif 000018
【図１８】
0005659591.tif 000019
【図１９】
0005659591.tif 000020
【図２０】
0005659591.tif 000021
【図２１】
0005659591.tif 000022